(57)【特許請求の範囲】
【請求項１】
ヘラ竿を掛けておく竿掛け等を構成する筒状体を連結するための構造であって、
筒状の本体部，前記本体部の一端内部に一端側に突出することなく配置された内部管体，および前記本体部の一端外周に一端側方向に突出して配置されるスリーブを有する第１筒状体と、
筒状の本体部，前記本体部の他端内部に他端側に突出することなく配置された内部管体，および前記内部管体から他端側に突出して配置され前記第１筒状体の内部管体に脱着自在に挿着可能な芯材を有する第２筒状体と
を備え、
前記第２筒状体の芯材は、前記第１筒状体の内部管体に対して前記第１筒状体の一端と前記第２筒状体の他端との間に間隙が生じるように挿着される、
連結構造。
【請求項２】
前記第２筒状体の芯材は他端側にかけて小径化する先細りテーパを有する、
請求項１に記載の連結構造。
【発明の詳細な説明】
【０００１】
【発明の属する技術分野】
本発明は、ヘラ釣りの際にヘラ竿を掛けておく竿掛けや玉柄等を構成する筒状体の連結構造に関するものである。
【０００２】
【従来の技術】
ヘラ釣りを行う際には、一般に「竿掛け」と呼ばれる道具が用いられる。この竿掛けは、炭素繊維等に合成樹脂を含浸させたプリプレグ素材からなり順次連結される複数の筒状体と、複数の連結した筒状体の先端側に取り付けられる「枕」と呼ばれる部材と、複数の連結した筒状体の手元側に取り付けられる「弓・万力」と呼ばれる部材から構成されている。そして、これらの筒状体等を連結するための構造としては「印籠継ぎ」と呼ばれる方式が広く用いられている。この「印籠継ぎ」とは、一方の筒状体を他方の筒状体に脱着自在に連結するにあたって、一方の筒状体の一端に芯材を挿入して固定し、この芯材を他方の筒状体の他端に挿入して脱着自在に挿着するものである。
【０００３】
【発明が解決しようとする課題】
このような「印籠継ぎ」を行うにあたっては、連結した筒状体同士が充分に固定され安定した連結力を得るために継ぎ部分の径を精密に調整する必要がある。一方で、竿掛けを構成する筒状体は上述のようにプリプレグ素材からなり、気温の変化による多少の熱膨張や長期にわたる使用に伴う摩耗から多少の寸法変化が考えられる。そこで、このような寸法変化に対応可能なように、一方の筒状体の一端と他方の筒状体の他端とが完全に接することなくその間に一定の間隙が生じるようにその径が調整される。しかし、このような筒状体同士の間隙は外観上好ましくない。特に外観デザインが重要とされるヘラ釣り用の竿掛けにおいてはかかる間隙を快しとしない釣り人も多い。
【０００４】
また、ヘラ釣り用の竿掛けを構成する筒状体はその使用状況に応じて全体の長さを調整するため、釣竿を構成する竿体のように特定のパーツ同士で常に連結されるものではなく、ある筒状体の連結部分は時には他の筒状体と連結され、またあるときには筒状体に「弓」が連結される場合もある。このように連結部分に汎用性が求められるため、連結部分の互換性を高める必要が大きい。
【０００５】
本発明の課題は、互換性に優れまた外観にも優れる竿掛けの連結構造を提供することにある。
【０００６】
【課題を解決するための手段】
発明１の連結構造は、ヘラ竿を掛けておく竿掛け等を構成する筒状体を連結するための構造であって、筒状の本体部，本体部の一端内部に一端側に突出することなく配置された内部管体，および本体部の一端外周に一端側方向に突出して配置されるスリーブを有する第１筒状体と、筒状の本体部，本体部の他端内部に他端側に突出することなく配置された内部管体，および内部管体から他端側に突出して配置され第１筒状体の内部管体に脱着自在に挿着可能な芯材を有する第２筒状体とを備える。また、第２筒状体の芯材は、第１筒状体の内部管体に対して第１筒状体の一端と第２筒状体の他端との間に間隙が生じるように挿着される。
【０００７】
第１筒状体と第２筒状体とを連結する場合には、第２筒状体の他端から突出する芯材を第１筒状体の一端側内部に配置された内部管体に刺し込んで脱着自在に装着する。この構造では、まず、第１筒状体，第２筒状体の連結部分付近にそれぞれ内部管体が配置されており、芯材が挿入され挿着されるべき径が統一化されている。このため、たとえ異なる外径の筒状体同士であっても（さらには「弓」を連結する場合であっても）汎用的に連結することが可能である。また、筒状体とは別途内部管体・芯材の径を調整すれば足りその調整作業も容易である。さらに、この第１筒状体の一端にはスリーブが配置されており、このスリーブ内に第２筒状体の他端が隠れるようになっているので、第１筒状体と第２筒状体との間に隙間が生じるような場合であっても、その隙間は外観上現れない。
【０００８】
発明２の連結構造は、発明１の構造であって、第２筒状体の芯材は他端側にかけて小径化する先細りテーパを有する。
【０００９】
この場合には、芯材が先細りテーパを有しており、その挿入がスムーズになっている。
【００１０】
【発明の実施の形態】
以下、本発明の一実施形態について図面を参照しつつ説明する。
【００１１】
［竿掛け全体の構成］
本発明の一実施形態を採用した竿掛けは、図１に示すように、長さの異なる複数の筒状体（第１筒状体１，第２筒状体２，第３筒状体３，必要に応じてさらに筒状体を用意してもよい）と、弓・万力４と、枕５とから構成される。
【００１２】
複数の筒状体は、それぞれ炭素繊維等の強化繊維にエポキシ樹脂等の熱硬化性強化樹脂を含浸させたプリプレグをマンドレルに巻回し焼成して得られた筒状部材である。これらはそれぞれ後に詳しく説明するような「印籠継ぎ」によって連結される。
【００１３】
弓・万力４は船縁等に固定し筒状体を連結する部材である。連結した複数の筒状体の手元側に連結されることになる。筒状体固定部分４ａは上下左右方向に自由に回転し任意の箇所で固定可能であり、ヘラ竿の竿元側を支えておく支持アーム４ｂも備えられている。
【００１４】
枕５は連結した筒状体の先端側に連結されヘラ竿の穂先側を支えておく部材である。筒状体に連結される部分と、その間にヘラ竿を配置して支える二股部分とを有している。この弓に筒状体を連結する部分についても、後述の「印籠継ぎ」方式を適応可能である。
【００１５】
このような複数の筒状体１〜３を順次連結しまたは必要な長さに応じて適宜選択して連結し、さらに弓・万力４，枕５を連結し万力４を船縁等に固定した上でヘラ竿を掛けることによって、この竿掛けは使用されることになる。
【００１６】
［連結構造について］
筒状体の連結構造に関し、第１筒状体１と第２筒状体２とにおいて説明する。
【００１７】
図２〜図４に詳しく示すように、第１筒状体１は、筒状の本体部１１と本体部１１の一端内部に配置された内部管体１２と本体部１１の一端外周に一端側方向に突出して配置されるスリーブ１３とを有している。本体部１１は上述のように所定のプリプレグ素材を焼成してなる筒状の部材である。その本体部１１の一端側内部に一端側に突出することなく、内部管体１２が挿入され接着剤等で固定されている。この内部管体１２も本体部１１と同様のプリプレグ素材から構成してもよく、また、弾性合成樹脂材を管状に形成したものを用いてもよく、コルク等の木材を用いることにより軽量化を図ることも可能である。スリーブ１３は本体部１１の一端側に本体部１１が挿入された状態で本体部１１の一端側に突出した状態で配置され接着剤等により固定されている。このスリーブ１３も本体部１１と同様のプリプレグ素材から構成してもよく、本体部１１と同様の表面塗装・模様を施しておくのが好ましい。なお、このスリーブ１３の第１筒状体１からの突出程度はおよそ５〜１５mm程度が好ましい。
【００１８】
第２筒状体２は、本体部２１と本体部２１の他端側内部に配置された内部管体２２と他端側に突出しつつ内部管体２２に挿入され固定された芯材２３とを有している。この本体部２１も所定のプリプレグ素材から構成される筒状の部材であり、他端側内部に他端側に突出することなく内部管体２２が挿入され接着剤等で固定される。これは第１筒状体１と同様である。芯材２３は本体部２１等と同様に炭素繊維等の強化繊維に合成樹脂を含浸させたプリプレグから形成されるやや先細り筒状部材または中実の柱状部材である。その外径は内部管体１２，２２の内径にほぼ合致するように設定され、内部管体２２に挿入され接着剤等により固定されている。芯材２３はやや先細りテーパを形成する等の手法によって、芯材２３を内部管体１２に挿入した際に第１筒状体１と第２筒状体２とが完全に当接することなくある程度の間隙（３〜８mm程度）が生じるようにその径が設定されるものである。その他、先端側の径を変化させることなくストレートに形成し基端側部分にテーパを形成する等の方法を採用してもよい。なお、芯材２３の先端周縁には面取り等を施しておく。
【００１９】
この竿掛けでは、第１筒状体１と第２筒状体２とを連結する場合には、第２筒状体２の他端から突出する芯材２３を第１筒状体１の一端側内部に配置された内部管体１２に刺し込んで脱着自在に装着する（図３参照）。この第１筒状体１の一端にはスリーブ１３が配置されており、このスリーブ１３内に第２筒状体２の他端が隠れるようになっているので、連結時に第１筒状体１と第２筒状体２との間に隙間が生じるような場合であっても、その隙間は外観上現れない。なお、スリーブ１３の内径を調整すれば、スリーブ１３と第２筒状体２の外周面との嵌合によりさらに第１筒状体１と第２筒状体２との嵌合力を強化することも可能である。
【００２０】
また、このような連結構造は第１筒状体１と第２筒状体２との連結部分のみではなく、弓・万力４や枕５にもこれを適応することも可能である。この場合において、第１筒状体，第２筒状体の連結部分付近にはそれぞれ内部管体１２，２２が配置されており芯材２３が挿入され挿着されるべき径が統一化されている。このため、たとえ異なる外径の筒状体同士や弓５，万力４等を連結する場合であっても、汎用的に連結することが可能となるのである。
【００２１】
［他の実施形態］
（ａ）上記実施形態においても説明するように、この連結構造は筒状体の両端にそれぞれ形成し筒状体同士を連結する場合のみではなく、弓，万力に対して所定の構造を設けてこれを連結することも可能である。
（ｂ）また、上記実施形態においては「竿掛け」において説明しているが、同様にヘラ釣りにおいて用いられる玉網の柄（玉の柄）に適応することも可能である。この玉の柄も長さを調整するべく汎用されまた外観意匠が重宝されるところ、本発明に係る連結構造を採用するのが適当である。
【００２２】
【発明の効果】
本発明に係る連結構造は互換性に優れまた外観にも優れる。
【図面の簡単な説明】
【図１】  本発明の一実施形態を採用した竿掛けの部品の全体図。
【図２】    図１の第１筒状体１と第２筒状体２との連結部分の断面図。
【図３】  図２の連結状態を示した図。
【図４】  図２の参照図。
【符号の説明】
１  第１筒状体
２  第２筒状体
１１，１２  本体部
１２，２２  内部管体
１３  スリーブ
２３  芯材
【図１】
0003711325.tif 000002
【図２】
0003711325.tif 000003
【図３】
0003711325.tif 000004
【図４】
0003711325.tif 000005